(57)【特許請求の範囲】
【請求項１】
納骨箱を収納する納骨部、及び、仏具または神具を配設可能な祭壇部を有する納骨壇を複数配設可能な屋内型墓苑であって、
前記納骨壇を収容する納骨壇スペースと、
前記納骨壇スペースに隣接する参拝スペースと、
前記納骨壇スペースと前記参拝スペースとを区画する隔壁と、
前記納骨壇スペースにおいて、床面に対して鉛直な軸芯回りに回転可能に支持されると共に、複数の前記納骨壇を前記軸芯の側を背面側としつつ回転周方向に沿って載置可能である一以上の回転台と、
前記回転台に回転駆動力を付与する駆動機構と、
前記隔壁に配設されると共に、前記回転台上の何れか一つの前記納骨壇を前記参拝スペースに対して出現させるドアと、を備え、
同一の前記軸芯回りに各別に回転可能な上下二段の前記回転台を前記納骨壇スペースに備えると共に、前記納骨壇スペースの両側に夫々前記隔壁を介して前記参拝スペースを備え、
一方の前記隔壁に、上段の前記納骨壇に対応する前記ドアを配設し、かつ、他方の前記隔壁に、下段の前記納骨壇に対応する前記ドアを配設し、
前記上段の納骨壇に対応する前記参拝スペースの床高さと、前記下段の納骨壇に対応する前記参拝スペースの床高さとを異ならせてある屋内型墓苑。
【請求項２】
前記上下二段の回転台に対して、右回り及び左回りの何れにも回転駆動可能である一つの前記駆動機構を備えると共に、
右回り及び左回りの何れか一方には前記駆動機構と一体回転可能であり、かつ、右回り及び左回りの何れか他方には前記駆動機構と一体回転不能である第一回転伝達部と、
右回り及び左回りの何れか他方には前記駆動機構と一体回転可能であり、かつ、右回り及び左回りの何れか一方には前記駆動機構と一体回転不能である第二回転伝達部と、を備え、
前記第一回転伝達部を介して、上段に配設された前記回転台と前記駆動機構とを連係すると共に、前記第二回転伝達部を介して、下段に配設された前記回転台と前記駆動機構とを連係してある請求項１に記載の屋内型墓苑。
【請求項３】
前記駆動機構は、前記回転台の外周部に前記回転駆動力を付与する請求項１または２に記載の屋内型墓苑。
【請求項４】
前記軸芯が異なる前記回転台を二以上備え、夫々の前記回転台に対応する前記参拝スペースを屋内廊下で接続してある請求項１から３の何れか一項に記載の屋内型墓苑。
【発明の詳細な説明】
【技術分野】
【０００１】
本発明は、納骨箱を収納する納骨部、及び、仏具または神具を配設可能な祭壇部を有する納骨壇を複数配設可能な屋内型墓苑に関する。
【背景技術】
【０００２】
従来から、墓の形態として、合祀墓（代々墓）や個人墓等がある。合祀墓とは、墓碑を一基だけ建立し、代々の遺骨を納骨するものである。また、個人墓は、個人専用の墓のことである。これらの墓は、「墓埋法」で定められた墓地の一区画である墓所について使用契約をして、その墓所に建立する。また、墓の別の形態としては、地方公共団体や寺院等によって運営される納骨堂もある。納骨堂は、不特定多数の遺骨を納骨するための建物である。何れの形態の墓にせよ、基本的には、承継者（子孫）が小まめに参拝し、管理や供養を行うことが好ましい。
【０００３】
近年、人口の都市集中化や核家族化に伴い、承継者の住居と先祖の墓とが地理的に遠く離れたり、先祖との繋がりが希薄になったりする実情がある。この結果、参拝の頻度が少なくなって、また、墓に管理が行き届かなくなって、墓が無縁墓となってしまう問題がある。また、特に大都市圏においては、人口及び世帯の増加や地価の高騰によって、深刻な墓地不足に陥るという問題や、墓を建てることすら出来ないという問題が招来している。
【０００４】
納骨堂については、事業運営者によって一括して管理されるところが多く、個人墓等ほどは地価高騰の影響を受けない。しかし、少なくとも、住居と墓との地理的な遠さから参拝の頻度が少なくなる可能性はある。
【０００５】
これらの問題を解決するものとして、特に文献は挙げないが、納骨部及び祭壇部を有する納骨壇（個人墓に相当する）を屋内にロッカー式に整列させた屋内型墓苑がある。また、特許文献１に記載のように、多数の納骨箱を収納する収納棚を備えた霊廟と、霊廟と隔壁を介して配設された礼拝室と、霊廟側に配設され、参拝対象の納骨箱を収納棚から礼拝室まで搬送する自動搬送装置を備えた納骨堂がある。
【０００６】
ロッカー式の屋内型墓苑であれば、数多くの納骨壇が設置できる。このため、事業運営者としては、多くの利用者を見込むことができ、地価が多少高くても、都市部に施設を建設することができる。この結果、承継者の参拝の頻度が高まると共に、墓所に建立される墓と比較して、承継者は少ない負担で納骨壇を取得できる。また、管理についても、納骨堂のごとく事業運営者によって日常的に行われるため、手の行き届いたものとなる。
【０００７】
特許文献１に記載の納骨堂であると、狭いスペースに極めて効率良く納骨箱を収納できるため、ロッカー式の屋内型墓苑と同様に、事業運営者は都市部に施設を建設することができ、承継者の参拝の頻度が高まると共に、承継者は少ない負担で墓を取得できる。また、霊廟と礼拝室とが隔離されているため、参拝者は他人の墓を気にすることなく、落ち着いて参拝することができる。
【先行技術文献】
【特許文献】
【０００８】
【特許文献１】特開２００１−２４１２１３号公報
【発明の概要】
【発明が解決しようとする課題】
【０００９】
本来、お墓とは、大切だった亡き人や先祖を供養するところであって、可能ならば墓所を構えて墓を建立したい、また、参拝時にはできるだけ手をかけて供養したい、というのが承継者の本来的な心情である。また、少なくとも家族一同等で参拝し、生花、線香、蝋燭、お菓子や飲み物をお供えし、先祖を供養するというのが、通常の参拝の作法である。
【００１０】
しかし、ロッカー式の屋内型墓苑では、各参拝スペースが納骨壇の間口に制約されるため、家族一同で参拝し、といった通常の参拝の作法ができない虞がある。また、参拝者が集中しやすい盆や彼岸の時期には、混雑により落ち着いて参拝できない虞もある。また、特許文献１に記載の納骨堂にあっては、収納棚と自動搬送装置とを備えた物流倉庫のごとき構成であるため、遺骨を「物」のように取り扱われて先祖の尊厳が損なわれる、と考える承継者もある。また、搬送時に骨壷が破損する可能性もある。
【００１１】
本発明は上記実情に鑑み、多くの墓を配設することが可能でありながらも、落ち着いた環境で参拝できる屋内型墓苑を提供することを目的とする。
【課題を解決するための手段】
【００１２】
本発明の特徴は、納骨箱を収納する納骨部、及び、仏具または神具を配設可能な祭壇部を有する納骨壇を複数配設可能な屋内型墓苑であって、前記納骨壇を収容する納骨壇スペースと、前記納骨壇スペースに隣接する参拝スペースと、前記納骨壇スペースと前記参拝スペースとを区画する隔壁と、前記納骨壇スペースにおいて、床面に対して鉛直な軸芯回りに回転可能に支持されると共に、複数の前記納骨壇を前記軸芯の側を背面側としつつ回転周方向に沿って載置可能である一以上の回転台と、前記回転台に回転駆動力を付与する駆動機構と、前記隔壁に配設されると共に、前記回転台上の何れか一つの前記納骨壇を前記参拝スペースに対して出現させるドアと、を備え、同一の前記軸芯回りに各別に回転可能な上下二段の前記回転台を前記納骨壇スペースに備えると共に、前記納骨壇スペースの両側に夫々前記隔壁を介して前記参拝スペースを備え、一方の前記隔壁に、上段の前記納骨壇に対応する前記ドアを配設し、かつ、他方の前記隔壁に、下段の前記納骨壇に対応する前記ドアを配設し、前記上段の納骨壇に対応する前記参拝スペースの床高さと、前記下段の納骨壇に対応する前記参拝スペースの床高さとを異ならせてある点にある。
【００１３】
本発明であると、回転台には複数の納骨壇を載置することができるため、一つの回転台に対して参拝スペースが一つあれば良い。即ち、納骨壇スペースに対して納骨壇を効率よく配設しつつ参拝スペースを一つに集約することにより、数多くの納骨壇を配設できると共に、参拝スペースを広くすることができ、落ち着いた環境で参拝することが可能である。加えて、納骨壇はその故人専用またはその故人家専用の墓であるため、自由な作法で参拝及び供養ができる。
【００１４】
さらに、回転台はその場で回転するものであって、物流システムのように機械的に搬送されるものないので、遺骨が「物」のように取り扱われているというような印象が生じにくい。
また、本発明によると、隔壁によって同一の回転台に載置された参拝対象ではない納骨壇が参拝スペースから見えないため、窮屈さがなく、多数の納骨壇を備えた施設にありがちな狭くて安っぽい雰囲気が払拭される。
さらに、本発明によれば、同一の軸芯上に上下二段の回転台を配設することにより、回転台を一段構成とした場合と比較して、二倍の数の納骨壇を配設できる。上段の納骨壇に対しては高い位置に参拝スペースが備えられ、下段の納骨壇に対しては低い位置に参拝スペースが備えられ、それらの参拝スペースは納骨壇スペースを挟んで反対側に備えられている。したがって、納骨壇スペースの上下方向のスペースを有効に活用しながらも、上段の納骨壇の参拝者と下段の納骨壇の参拝者とが参拝スペースでかちあうこともない。
また、本発明であると、納骨壇の上下方向のサイズを小さくせざるを得ないものの、その分費用を抑えられるので、価格設定にバリエーションができ、各種ニーズに対応できる。
【００１５】
【００１６】
【００１７】
【００１８】
【００１９】
【００２０】
【００２１】
【００２２】
本発明においては、前記上下二段の回転台に対して、右回り及び左回りの何れにも回転駆動可能である一つの前記駆動機構を備えると共に、右回り及び左回りの何れか一方には前記駆動機構と一体回転可能であり、かつ、右回り及び左回りの何れか他方には前記駆動機構と一体回転不能である第一回転伝達部と、右回り及び左回りの何れか他方には前記駆動機構と一体回転可能であり、かつ、右回り及び左回りの何れか一方には前記駆動機構と一体回転不能である第二回転伝達部と、を備え、前記第一回転伝達部を介して、上段に配設された前記回転台と前記駆動機構とを連係すると共に、前記第二回転伝達部を介して、下段に配設された前記回転台と前記駆動機構とを連係してあると好適である。
【００２３】
本構成によると、第一回転伝達部と第二回転伝達部とにより、駆動機構が右回り及び左回りの何れか一方に回転駆動したときは、上段の回転台のみが回転し、駆動機構が右回り及び左回りの何れか他方に回転駆動したときは、下段の回転台のみが回転する。即ち、一台の駆動機構の回転方向を制御するだけで、上下の回転台を各別に回転させることができるため、上下の回転台に対して夫々専用の駆動機構を設ける必要がない。
【００２４】
本発明においては、前記駆動機構は、前記回転台の外周部に前記回転駆動力を付与すると好適である。
各納骨壇は、木製や石製といった材質によって差異はあるものの、仏教や神道等の宗教に拘らず、一つ一つとしてはかなりの重量物である。本構成では、駆動機構が回転台の外周部に回転駆動力を付与するので、駆動機構の回転駆動を最大限に減速させて回転台に伝達することが可能となる。したがって、駆動機構の容量が小さくて済み、駆動機構の駆動音は小さくなる。加えて、駆動機構による振動が小さくなって、祭壇部に常設する仏具または神具、特に、花立、燭台、高杯のような不安定なものが回転台の回転により倒れたりすることがない。なお、遺影や位牌を祭壇部に常時配設している場合も同様である。
本発明においては、前記軸芯が異なる前記回転台を二以上備え、夫々の前記回転台に対応する前記参拝スペースを屋内廊下で接続してあると好適である。
【００２５】
本構成によると、平面的に回転台の数を増やして納骨壇の配設可能数を増やしても、複数の参拝スペースが屋内廊下で接続されているため、廊下率が増加せず、スペース的に余裕のある屋内型墓苑とできる。
【００２６】
【００２７】
【００２８】
【００２９】
【００３０】
【００３１】
【００３２】
【図面の簡単な説明】
【００３３】
【図１】屋内型墓苑の斜視図である。
【図２】屋内型墓苑のうちの一つの納骨ユニットの斜視図である。
【図３】納骨ユニットの平面図である。
【図４】納骨ユニットの断縦面図である。
【図５】納骨ユニットの制御ブロック図である。
【図６】制御フローを示すフロー図である。
【図７】ドアの閉鎖の制御フローを示すフロー図である。
【図８】第一別実施形態に係る納骨ユニットの断面図である。
【図９】第一別実施形態に係る納骨ユニットの平面図である。
【図１０】第二別実施形態に係る納骨ユニットの平面図である。
【図１１】第二別実施形態に係る納骨ユニットの縦断面図である。
【図１２】第三別実施形態に係る納骨ユニットを示す模式図である。
【図１３】第三別実施形態に係る発明の構成を示すブロック図である。
【発明を実施するための形態】
【００３４】
以下、本発明の実施形態（特に、第一別実施形態）を含む仏式の屋内型墓苑について図面に基づいて説明する。
【００３５】
１．屋内型墓苑の概要
屋内型墓苑は、図１に示すごとく、納骨壇６を収容する納骨壇スペース１を備え、納骨壇スペース１には、複数の回転台５が収容されている。回転台５は床面Ｆに対して回転可能に支持され、回転台５には複数の納骨壇６を載置可能である。納骨壇スペース１に隣接して参拝スペース２が備えられ、参拝スペース２は隔壁３を介して納骨壇スペース１と区画されている。参拝スペース２は、回転台５一つに対応して一箇所ずつ備えられており、全ての参拝スペース２は屋内廊下４によって接続されている。隔壁３のうち各回転台５に対応する位置に開口部３ａを形成し、開口部３ａには自動で開閉可能なドア７が夫々配設されている。納骨壇６は、開口部３ａを介して参拝スペース２に出現可能である。隣接する参拝スペース２，２の間に仕切壁８を備え、プライベート性を確保してある。
【００３６】
参拝者は、エントランスホール等においてＩＣカード等による識別操作を行ってから、屋内廊下４を通って、参拝対象の納骨壇６に対応する参拝スペース２に移動する。参拝者が移動している間に、参拝対象の納骨壇６が開口部３ａに正対するまで回転台５が回転し、そしてドア７が開かれ、参拝対象の納骨壇６が参拝スペース２に出現する。
【００３７】
一つの回転台５には八つの納骨壇６が載置可能である。つまり、八つの納骨壇６について、一つの回転台５と一つのドア７とで一つの納骨ユニットＵを構成してある。屋内型墓苑は、ｎ個の納骨ユニットＵを備え、最大で８×ｎ個の納骨壇６を配設可能である。
【００３８】
納骨壇６は、図２に示すごとく、納骨箱を収容する納骨部６ａと、納骨部６ａの上側に配設され、仏具Ｐを常時配設可能な祭壇部６ｂを有する。仏具Ｐとは、例えば、花台、燭台、高杯等のことを言う。祭壇部６ｂには、位牌や遺影等も常時配設可能である。つまり、本発明に係る納骨壇６は、故人墓や合祀墓と同様に、その故人、その家専用の墓である。
【００３９】
本発明であると、納骨壇６を効率よく数多く配設できると共に、八つの納骨壇６に対して一つの参拝スペース２を備えれば良いため、参拝スペース２を広くすることも可能である。数多くの納骨壇６を配設できるため、施設設置の全体コストに対する各納骨壇６の負担割合が軽減され、承継者は求め易い価格で納骨壇６を取得できる。
【００４０】
２．納骨ユニットの構成〔回転台〕
回転台５は、図２乃至図４に示すごとく、納骨壇スペース１に配設され、円盤形状の天板２０及び底板２１を備えている。天板２０及び底板２１は略同径の平板である。特に、図示しないが、天板２０と底板２１との間に溝形鋼等の補強部材を径方向及び周方向に適宜配設し、回転体の重量を重くすることなく、回転体の全体としての剛性を高めている。
納骨壇スペース１の床面Ｆに、回転台５の架台としてのステージ２２を組んである。回転台５の中心部を、スラストベアリングＴＢを介してステージ２２に枢支してある。
【００４１】
また、ステージ２２の上面に、図３に示すごとく、軸芯Ｘを中心とする同一円周上に等間隔を空けてローラフォロアＲを八箇所備えてある。ローラフォロアＲは、図４に示すごとく、ステージ２２に固定された取付部Ｒｂと、取付部Ｒｂに回転自在に軸支されたローラ部Ｒａと、を備えている。ローラ部Ｒａは、軸芯Ｘを中心とする円の径方向回りに回転可能であって、底板２１に対して点接触する。このように、回転台５はローラフォロアＲに底板２１の複数箇所を支持され、例えば、各納骨壇６の重量が同じでなく、また、未だ八つ全ての納骨壇６が配設されておらず歯抜け状態の配設状況であっても、グラつくことなく円滑に水平回転可能である。取付部Ｒｂはアジャスト機能を有し、適宜ローラフォロアＲの高さ位置を調節可能である。このようにして、回転台５は、鉛直な軸芯Ｘ回りに水平回転自在なように、床面Ｆに取付けられている。
【００４２】
回転台５には、図２，図３に示すごとく、八つの納骨壇６を、その背面が軸芯Ｘの側となるように、回転台５の円周方向に沿って載置可能である。つまり、全ての納骨壇６は、正面が径方向外側に向くよう、軸芯Ｘに対して放射状に配列されている。納骨壇６は、図３に二点鎖線で示した領域に納める必要はなく、少なくとも天板２０を周方向に八等分した領域内に納まれば良い。
【００４３】
納骨壇６は、下部を天板２０に固定すると共に、上部を隣接する納骨壇６と不図示の頭つなぎ部材によって連結する等して、回転台５に対して固定する。納骨壇６としては、宗教、宗派等にもよるが、複数種のデザイン、材質のものが用意されており、購入者はその中から好みの納骨壇を選択できる。
【００４４】
図３に示すごとく、納骨壇スペース１の床面Ｆのうち回転台５に近接する箇所に、回転台５に回転駆動力を付与する「駆動機構」としての回転台駆動機構３０を備えてある。回転台駆動機構３０は、電動モータ３１、電動モータ３１と回転台５の外周部とに巻き回されて、電動モータ３１の回転駆動力を回転台５に付与するベルトＢ、及び、ベルトＢに対して張力を付与して弛みを除去する二つのテンションプーリー３２を備えている。
【００４５】
軸芯Ｘから遠い箇所で電動モータ３１の回転駆動力が伝達されるので、電動モータ３１の回転駆動は減速されて回転台５に伝達される。しかも、ベルトＢが回転台５の外周面に巻き回されているため、最も減速率が大きく、納骨壇６の重量が重くても、電動モータ３１の容量を上げることなく、円滑かつ静かに回転台５を回転させられる。電動モータ３１による振動が小さくなるので、花立、燭台、高杯、位牌等の不安定なものが回転台５の回転により倒れたりすることがない。
【００４６】
〔ドア〕
ドア７は、図３，図４に示すごとく、隔壁３に形成された開口部３ａに配設され、自動で開閉する両引き分け式のドアである。ドア７の上部にはドア駆動機構４０が配設されている。ドア駆動機構４０の駆動によってドア７は開閉する。ドア駆動機構４０としては、エンジン式（ベルト式）やリニアモータ式のもの等が採用できる。通常、ドア７の開扉は制御部１２の指令によって行われ、ドア７の閉扉は、隔壁３のうちドア７の近傍の箇所に備えられた閉扉スイッチ４４（図１参照）の操作によって行われる。
【００４７】
図３に示すごとく、回転台５は開口部３ａにできるだけ近い位置に配設し、開口部３ａの幅及び高さは、納骨壇６の間口寸法に対応させてある。図４に示すごとく、開口部３ａの下部に立ち上がり部３ｂを設け、立ち上がり部３ｂの上端位置と、天板２０の位置とが一致するように構成してある。このようにして、参拝スペース２の床レベルよりも、納骨壇６の床レベル（天板２０の位置）を高い位置に設定してある。また、ドア駆動機構４０と納骨壇６の上端との干渉を避けるべく、開口部３ａの上端が納骨壇６の上端よりやや高い位置となるように設定してある。
【００４８】
図３，図４に示すごとく、開口部３ａに正対した納骨壇６と開口部３ａとの間の隙間を埋めるべく、まぐさ４１及び竪枠４２を納骨壇６との境界付近まで延長してある。これにより、ドア７が開放したときは、開口部３ａに正対した納骨壇６のみが参拝スペース２に出現し、参拝スペース２の側から納骨壇スペース１が見えることはない。
【００４９】
〔その他の構成〕
特に図示はしないが、ドア７が閉鎖した後に、線香や蝋燭の煙を吸う吸引装置を納骨壇６の背面に設置可能である。その他に、参拝者が帰った後、所定時間を経過すると、線香や蝋燭、お供え物（生花、お菓子、飲み物等）を自動的に回収する自動回収装置を備えてあっても良い。自動回収装置は、エアシューター式のものであっても、線香を立てる専用の筒状部やお供え物を置く専用の台を設けて、それらの底部が開放することにより、納骨壇６の下部に内蔵された受箱に自然落下するようなものであっても良い。なお、図２に示すごとく、納骨壇６の背面同士に囲まれて軸芯Ｘ回りに縦長の空間が形成されており、この空間にこれらの装置の配管や電気配線を通すことができる。
【００５０】
３．認識ユニット及び管理ユニット
屋内型墓苑には、特に図示はしないが、エントランスホール、管理室、待合室等のスペースが備えられている。本実施形態においては、認識ユニット１０をエントランスホールに備え、管理ユニット１１を管理室に備えている（図１参照）。
【００５１】
〔認識ユニット〕
認識ユニット１０は、例えば、ＩＣカード認識型もしくは手動入力操作可能なユニットである。ＩＣカードは、納骨壇６の所有者に当初から配布されているカードであり、その納骨壇６の情報が記録されている。例えば、ＩＣカードによって認識ユニット１０に対して所定の操作（タッチ操作や挿入操作等）を行うと、参拝者が認識され、その認識情報が出力される。
【００５２】
また、ＩＣカードを所有していない参拝者は、手動入力操作によって、故人の名前や認識番号等を認識ユニット１０に入力する。当然、セキュリティ上、ＩＣカードを所有していない参拝者については、所有者に確認が取れない限り、参拝できないようなシステムとしてあっても良い。
【００５３】
〔管理ユニット〕
管理ユニット１１は、記憶部１３と制御部１２とを備えている。記憶部１３は、ハードディスクであって、納骨壇６についての各種情報が記憶されている。各種情報とは、納骨されている故人の名前、没年月日、納骨壇６の所有者の連絡先、といった個人情報から、屋内型墓苑の何れの納骨ユニットＵの何れの位置に納骨壇６が配設されているかという位置情報に至るまでの種々の情報が記憶されている。また、記憶部１３には、各開口部３ａの位置情報等も記憶されている。
【００５４】
制御部１２は、認識部１０から出力された認識情報に基づいて、記憶部１３から参拝対象の納骨壇６の位置情報等を取得し、参拝対象の納骨壇６がドア７に正対するよう回転台５を回転させ、参拝対象の納骨壇６がドア７に正対した後にドア７を開放する。
【００５５】
４．納骨ユニットの制御
納骨ユニットＵの制御について、図５乃至図７に基づいて説明する。各納骨ユニットＵは、回転台５及びドア７だけでなく、上述した回転台駆動機構３０と、回転台５の回転位置を監視する位置センサ３３と、上述したドア駆動機構４０と、ドア７による挟み込みやドア７の開閉状態を監視するドアセンサ４３と、から構成されている。
【００５６】
認識部１０は、参拝者があったか否かを常時監視している（＃１）。参拝者があると、識別部は参拝者を識別し、制御部１２に対して参拝者の識別情報を制御部１２に出力する（＃２）。参拝者がない場合、認識部１０は参拝者があったか否かを監視し続ける。制御部１２は、取得した識別情報に基づいて、記憶部１３に記憶された各種情報の中から、取得した識別情報に対応する納骨壇６、即ち、参拝対象の納骨壇６を検索し、参拝対象の納骨壇６が属する納骨ユニットＵや、回転台５における参拝対象の納骨壇６の位置、といった参拝対象の納骨壇６の位置情報を取得する（＃３）。
【００５７】
また、制御部１２は、位置センサ３３から参拝対象の回転台５の現在の回転位置を取得し、参拝対象の回転台５における参拝対象の納骨壇６の位置と、参拝対象の回転台５の現在の回転位置と、開口部３ａの位置と、から参拝対象の納骨壇６を開口部３ａに正対させるための回転量を演算する（＃４）。この際、制御部１２は、右回り及び左回りの回転方向のうち、回転量が小さい方の回転方向を選択する。
【００５８】
回転量を演算した後、制御部１２は、ドアセンサ４３からドア７の開閉情報を取得する（＃５）。ドア７が閉鎖していると、制御部１２は、例えば、「そのままお進み下さい。
」という音声情報または文字情報を外部出力１４に出力して、参拝が可能であることを参拝者に報知する（＃６）。この場合の外部出力１４は、例えば、認識ユニット１０に備えられたスピーカやモニタとなる。そして、制御部１２は、演算した回転量に基づいて回転台駆動機構３０を駆動させ、回転台５を回転させる（＃７）。なお、位置センサ３３は、回転台の回転中においても回転台５の回転位置を監視しており、その情報は制御部１２にフィードバックされる。これにより、参拝対象の納骨壇６は正確に開口部３ａに正対する。また、制御部１２は、回転台５の回転開始時と回転完了時には回転台５の回転速度を小さくして、納骨壇６に衝撃を与えないようにする。
【００５９】
参拝対象の納骨壇６が開口部３ａに正対すると、制御部１２はドア駆動機構４０を駆動させ、ドア７を開放し、参拝対象の納骨壇６を参拝スペース２に出現させる（＃８）。
【００６０】
参拝が終了後は、参拝者による閉扉スイッチ４４の操作によって、ドア７は閉扉する（＃９）。このドア閉鎖制御について詳述すると、制御部１２は、閉扉スイッチ４４の操作状況を監視しており（＃９１）、閉扉スイッチ４４が操作されると、制御部１２はその情報を取得し、ドア駆動機構４０を駆動させて、ドア７を閉扉する（＃９２）。制御部１２は、ドア７が開放されてからの時間を計測しており（＃９３）、閉扉スイッチ４４の操作がされないまま３０分以上が経過すると、何らかの故障や異常事態が生じている可能性があるので、制御部１２は外部出力１４に異常信号を出力し、管理者に状況確認を促す（＃９４）。なお、「３０分」という設定は、適宜変更可能である。
【００６１】
＃５において、ドア７が開放している場合は、制御部１２は回転台５を回転させない（＃１０）。制御部１２は、演算した回転量から、現在参拝スペース２に出現している納骨壇６が、参拝対象の納骨壇６であるかを判定する（＃１１）。演算した回転量が「ゼロ」である場合は、参拝対象の納骨壇６が出現していることになる。この場合は、参拝対象の納骨壇６に対して先に訪れた参拝者がいることになるので、制御部１２は、例えば、「既に参拝されている方がおられます。そのままお進み下さい。」という音声情報または文字情報を外部出力１４に出力して、参拝が可能であることを参拝者に報知する（＃１２）。
参拝が終了すると、＃９のドア７閉鎖制御が行われる。
【００６２】
＃１１において、現在参拝スペース２に出現している納骨壇６が、参拝対象の納骨壇６とは別の納骨壇６である場合、参拝スペース２に別の納骨壇６に対する参拝者がいることになる。したがって、制御部１２は、例えば、「御案内ができるまで待合室でお待ち下さい。」という音声情報または文字情報を外部出力１４に出力し、参拝者に待機を報知する（＃１３）。同時に、制御部１２は待合管理用の管理番号を作成し、参拝者にその管理番号を通知する。その後、制御部１２は、参拝対象の納骨壇６に対応するドア７について開閉状態を監視する（＃１４）。ドア７が閉鎖すると、制御部１２は、先訪の参拝者が参拝を終えたものと判断し、例えば、待合室に設けたモニタに管理番号を表示する等して参拝可能となったことを報知する（＃１５）。そして、参拝対象の納骨壇６を参拝スペース２に出現させるべく、制御部１２は回転台５を回転させる（＃７）。
【００６３】
＃１４においてドア７が開放している場合には、制御部１２は、ドア７が開放されてからの時間を確認する（＃１６）。ドア７が開放してから３０分以上経っている場合は、何らかの故障や異常事態が生じている可能性があるので、制御部１２は外部出力１４に異常信号を出力し、管理者に状況確認を促す（＃１７）。なお、「３０分」という設定は、適宜変更可能である。
【００６４】
５.別実施形態〔第一別実施形態〕
上述の実施形態においては、一段式の回転台５について説明したが、例えば、同一の軸芯Ｘ回りに回転する上下二段式の回転台５としても良い。この実施形態について、図８，図９に基づいて説明する。上述の実施形態と同じ構成については同じ符号を付し、その構成については説明しない。この第一別実施形態が、本発明の好適な形態である。
【００６５】
納骨ユニットＵは、上部回転台５０、下部回転台５１、及び、上部回転台５０と下部回転台５１との夫々に対応するドア７を備えている。上部回転台５０及び下部回転台５１は、支柱５２に対して軸芯Ｘ回りに回転自在なように支持してある。支柱５２は、納骨壇スペース１の床面Ｆから立設されている。
【００６６】
上部回転台５０は、図８に示すごとく、円盤状の天板５０ａと、円盤状の底板５０ｃと、天板５０ａと底板５０ｃとを連結すると共に、支柱５２に外挿される円筒形状の軸部５０ｂと、を備えている。図９に示すごとく、天板５０ａと底板５０ｃとの間に、軸芯Ｘに対して軸部５０ｂから放射状に延出して、天板５０ａと底板５０ｃとを連結する補強リブ５０ｄを備え、上部回転台５０の剛性を高めている。補強リブ５０ｄによって、天板５０ａと底板５０ｃとの間の空間は六等分されている。この六箇所の空間に納骨壇６を配設可能である。上部回転台５０は、図８に示すごとく、支柱５２の上端に配設したスラストベアリングＴＢ及び支柱５２の中間部分に配設したラジアルベアリングＲＢを介して、支柱５２に支持してある。なお、支柱５２の中間部分に環状の止め輪５３を嵌合し、止め輪５３によってラジアルベアリングＲＢを下方から支持している。
【００６７】
下部回転台５１は、図８に示すごとく、円盤状の天板５１ａと、円盤状の底板５１ｃと、天板５１ａと底板５１ｃとを連結すると共に、支柱５２に外挿される円筒形状の軸部５１ｂと、を備えている。図９に示すごとく、天板５１ａと底板５１ｃとの間に、軸芯Ｘに対して軸部５１ｂから放射状に延出して、天板５１ａと底板５１ｃとを連結する補強リブ５１ｄを備え、下部回転台５１の剛性を高めている。補強リブ５１ｄによって、天板５１ａと底板５１ｃとの間の空間は六等分されている。この六箇所の空間に納骨壇６を配設可能である。下部回転台５１は、図８に示すごとく、支柱５２のうち止め輪５３の下方に配設したラジアルベアリングＲＢ及び支柱５２の下端に配設したラジアルベアリングＲＢ及びを介して、支柱５２に支持してある。なお、支柱５２の下端に段差部５２ａを形成し、段差部５２ａによって下側のラジアルベアリングＲＢを下方から支持している。さらに、下部回転台５１は下方からローラフォロアＲによって支持してある。
【００６８】
図８，図９に示すごとく、納骨壇スペース１の両側に参拝スペース２を備え、隔壁３によって納骨壇スペース１と参拝スペース２とを区画してある。図８における左側の隔壁３には、上部回転台５０に配設される納骨壇６に対応する開口部３ａを形成し、開口部３ａに対してドア７を配設してある。図８における右側の隔壁３には、下部回転台５１に配設される納骨壇６に対応する開口部３ａを形成し、開口部３ａに対してドア７を配設してある。
【００６９】
図９に示すごとく、上部回転台５０及び下部回転台５１に対して、各別に回転台駆動機構３０を備えており、上部回転台５０と下部回転台５１とは各別に回転可能である。また、特に図示はしないが、上部のドア７（図９における左側）及び下部のドア７（図９における右側）に対して、各別にドア駆動機構４０を備えており、上部のドア７と下部のドア７とは各別に開閉可能である。
【００７０】
上段の納骨壇６に対応する参拝スペース２（図８における左側）の床高さと、下段の納骨壇６に対応する参拝スペース２（図８における右側）の床高さとは異ならせてあって、図８における左側の参拝スペース２から上段の納骨壇６に対して参拝が可能であり、それと同時に、図８における右側の参拝スペース２から下段の納骨壇６に対して参拝が可能である。
【００７１】
納骨ユニットＵの制御については、上述の実施形態と全く同じである（図５，図６参照）。即ち、上部回転台５０と下部回転台５１とは、同一の軸芯Ｘ回りに配設されているものの、全く別の納骨ユニットＵに属するので、各別に制御すれば良い。
【００７２】
本構成であると、一段構成の回転台５とした場合と比べて納骨壇６のサイズは小さくなるものの、一段構成の回転台５とした場合の二倍の納骨壇６を配設可能である。また、納骨壇スペース１の上下方向のスペースを有効に活用しながらも、上段の納骨壇６の参拝者と下段の納骨壇６の参拝者とが参拝スペース２でかちあうこともない。なお、立ち上がり部３ｂの上端位置、即ち、腰高さの位置に窓台５４を備えてあり、配設可能な納骨壇６が小さくなっても、種々の仏具Ｐや参拝道具を適宜置くことができる。
【００７３】
〔第二別実施形態〕
回転台の構造、及び、回転台を支持する構造の別の実施形態について、図１０，図１１に基づいて説明する。ステージ２２に支柱１０１を立設し、支柱１０１と後述するローラフォロアＲとによって回転台１０５を支持してある。回転台１０５は、支柱１０１に外挿される円筒形状の軸部１０５ｂと、軸部１０５ｂの下端部から周方向に延設された円盤状の底板１０５ａと、軸部１０５ｂの上端部と底板１０５ａの上面の外周部とを十箇所で繋ぐ斜材部１０５ｄと、十箇所の斜材部１０５ｄの頭頂部と軸部１０５ｂの上端部とを接合する頭繋ぎ部１０５ｃと、を備えている。頭繋ぎ部１０５ｃの上面と支柱１０１との間と、底板１０５ａの下面と支柱１０１との間と、にラジアルベアリングＲＢを介在させてある。なお、本実施形態においては、斜材部１０５ｄによって、納骨壇６を配設するスペースが均等に十箇所に区切られている。
【００７４】
また、回転台１０５の周りを囲うように、ステージ２２に角パイプ１０２を立設してある。角パイプ１０２は、周方向で均等に９０度の間隔を空けて四本立設してある。各角パイプ１０２の高さ方向の中途箇所に、径方向内側向きのブラケット１０３を固定し、ブラケット１０３の上面にローラフォロアＲを取付け、回転台１０５の底面を四箇所から支持してある。一つの角パイプ１０２には、回転台駆動機構３０を配設してある。
【００７５】
本実施形態における回転台駆動機構３０に係る電動モータ３１は、ベルトＢを使用する上述の実施形態とは異なり、図１０，図１１に示すごとく、回転台１０５（底板１０５ａ）の外周部に直接接触して、回転台１０５に直接的に回転駆動力を付与する。電動モータ３０は、支柱１０２に対して鉛直方向回りに揺動可能に配設されると共に、スプリングによって底板１０５ａの外周部に対して付勢されている。電動モータ３１のうち底板１０５ａの外周部に接触する部分と、底板１０５ａの外周部と、のうち少なくとも一方は、摩擦係数の高い素材で構成してある。本構成であれば、ベルトの弛み切断の虞がなく、耐用性が向上する。なお、上述の実施形態においても、本実施形態と同様の回転台駆動機構３０を採用しても良い。
【００７６】
このようにして、本実施形態に係る回転台１０５は、納骨壇スペース１において、床面Ｆに対して鉛直な軸芯Ｘ回りに回転可能に支持されている。本構成であると、平面状の回転台５をステージ２２に対して直接支持する（図３，図４参照）場合と比べて、部品点数は増加するが、回転台１０５が回転するときの軸芯Ｘに対するブレが生じにくく、回転台１０５を安定して回転させられる。
【００７７】
なお、特に図示はしないが、上下二段式の場合は、支柱及び角パイプを長くして、一段式の場合と同様に、上側の回転台と、下側の回転台と、を支柱及び角パイプで支持すれば良い。
【００７８】
〔第三別実施形態〕
上下二段式の回転台５の別の実施形態について、図１２，図１３に基づいて説明する。本実施形態においては、図１２に示すごとく、上下二段の回転台５を一台の回転台駆動機構３０によって回転させる。上部回転台６０と下部回転台６１とは、床面Ｆに対して同一の軸芯Ｘ回りに回転自在に各別に支持されている。回転台駆動機構３０は、右回り及び左回りの何れにも回転駆動可能である。回転台駆動機構３０は、ベルトＢによって駆動軸６２と連係されている。駆動軸６２は上下方向に延びる軸部材であって、床部に対して右回りにも左回りにも回転可能に支持されている。駆動軸６２によって、回転台駆動機構３０の駆動力を上下方向に分配可能である。
【００７９】
駆動軸６２の上端部分と上部回転台６０とは、第一回転伝達部６３を介して、ベルトＢによって連係されている。第一回転伝達部６３には、不図示のワンウェイクラッチが内蔵されており、駆動部が右回りに回転したときは右回りに一体回転し、回転台駆動機構３０の駆動力を上部回転台６０に伝達する。一方、駆動部が左回りに回転したときは空回りし、回転台駆動機構３０の駆動力を上部回転台６０に伝達しない。
【００８０】
駆動軸６２の下端部分と下部回転台６１とは、第二回転伝達部６４を介して、ベルトＢによって連係されている。第二回転伝達部６４には、不図示のワンウェイクラッチが内蔵されており、駆動部が左回りに回転したときは左回りに一体回転し、回転台駆動機構３０の駆動力を下部回転台６１に伝達する。一方、駆動部が右回りに回転したときは空回りし、回転台駆動機構３０の駆動力を下部回転台６１に伝達しない。
【００８１】
このように、一台の回転台駆動機構３０の回転方向を制御するだけで、上部回転台６０と下部回転台６１とを各別に回転させることができ、上部回転台６０に対応する参拝スペース２と下部回転台６１に対応する参拝スペース２との同時利用を実現しつつ、コストの軽減を実現できる。また、上部回転台６０の下側と下段の納骨壇６の上部との間のスペースを多少は小さく抑えられるので、例えば、施設をバリアフリーにするべく、上部回転台６０に対応する参拝スペース２（高い位置）と、下部回転台６１に対応する参拝スペース２（低い位置）とをスロープで接続した場合に、スロープ長を多少なりと短く抑えられ、施設全体として、有限であるスペースを有効に活用できる。
【００８２】
なお、本実施形態においては、一つの納骨ユニットＵは、図１３に示すごとく、上部回転台６０、下部回転台６１、一つの回転台駆動機構３０、上部回転台６０に対する位置センサ３３、下部回転台６１に対する位置センサ３３、上部回転台６０に対応するドア７とドア駆動機構４０とドアセンサ４３、上部回転台６０に対応するドア７とドア駆動機構４０とドアセンサ４３、で構成されることとなる。
【００８３】
〔その他の別実施形態〕
（１）上述の実施形態においては、一つの回転台５に配設可能な納骨壇６の数を８台（図３参照）、または、６台（図９参照）、１０台（図１０参照）としたが、これに限られるものではない。納骨壇６の配設数は回転台の周長に依存するので、回転台５の径を変更すれば、納骨壇６の配設数は自由に変更できる。
【００８４】
（２）上述の実施形態においては、回転台５の外周面にベルトＢを巻きまわす構成としたが、これに限られるものではない。回転台駆動機構３０の駆動を減速させられる程度に軸芯Ｘから離れた位置であれば、回転台５の外周面でなくても良い。
【００８５】
（３）上述の実施形態においては、仏式の屋内型墓苑として説明をしたが、これに限られるものではない。例えば、神式（神道）の屋内型墓苑であっても良い。神式の場合は、納骨壇６には仏具Ｐの代わりに神具を配設可能である。
【００８６】
（４）上述の実施形態においては、納骨壇として図２に示すような形状・形式の納骨壇６を説明したが、これに限られるものではない。例えば、墓所に建立するような墓石形式の納骨壇であっても良い。この場合は、実際の墓所の雰囲気を出すために、回転台５や回転台駆動機構３０を防水加工し、かつ、回転台を砂利敷きとして、水撒きができるようにしても良い。
【００８７】
（５）上述の実施形態においては、閉扉スイッチを操作することによってドア７が閉扉するように構成したが、これに限られるものではない。特に図示はしないが、例えば、参拝スペースを監視する人感センサを備え、開扉しているドア７の前の参拝スペースに誰もいなくってから所定時間（例えば、１０分）が経過すると、ドア７が自動的に閉扉するように構成してあっても良い。
【産業上の利用可能性】
【００８８】
本発明は、仏教及び神道に限らず、その他の宗教の屋内型墓苑にも適用可能である。
【符号の説明】
【００８９】
１      納骨壇スペース
２      参拝スペース
３      隔壁
４      屋内廊下
５      回転台
６      納骨壇
６ａ    納骨部
６ｂ    祭壇部
７      ドア
１０    認識ユニット
１２    制御部
１３    記憶部
３０    回転台駆動機構（駆動機構）
５０    上部回転台（上下二段の回転台）
５１    下部回転台（上下二段の回転台）
６０    上部回転台（上下二段の回転台）
６１    下部回転台（上下二段の回転台）
６３    第一回転伝達部
６４    第二回転伝達部
１０５  回転台
Ｘ      軸芯
Ｐ      仏具
Ｆ      床面
【図１】
0005875235.tif 000002
【図２】
0005875235.tif 000003
【図３】
0005875235.tif 000004
【図４】
0005875235.tif 000005
【図５】
0005875235.tif 000006
【図６】
0005875235.tif 000007
【図７】
0005875235.tif 000008
【図８】
0005875235.tif 000009
【図９】
0005875235.tif 000010
【図１０】
0005875235.tif 000011
【図１１】
0005875235.tif 000012
【図１２】
0005875235.tif 000013
【図１３】
0005875235.tif 000014